(57)【要約】【課題】本発明は、ねじカバーの取付けを確実になして信頼性の向上を得るとともに、比較的軽い操作力でねじカバーの取外しを可能として作業性の向上を得る天井据付け型空気調和機のねじカバー装置を提供する。【解決手段】ねじ取付け用凹陥部１５を天井に据付けられる空気調和機本体１の天井露出面を覆う化粧パネル２に形成し、この底面部１５ｃに設けられるねじ挿通用孔１７に取付けねじ１０を挿通して化粧パネル２を空気調和機本体に取着し、ねじカバーＫをねじ取付け用凹陥部に着脱自在に嵌め込んで取付けねじを覆い、ねじカバーは、ねじ取付け用凹陥部底部面１５ｃの一部に当接するリブ２５と、このリブと近接した位置に設けられねじ取付け用凹陥部周面一部に掛止する第１の爪部２３と、この第１の爪部とはリブを介して反対側でかつリブとは離間したねじカバー表面部位に設けられねじカバーをねじ取付け用凹陥部から取外しする際の押圧操作の目印となる操作目印部２６とを備える。【選択図】    図４
2009019811.tif 000002
【特許請求の範囲】
【請求項１】
天井に据付けられる空気調和機本体の天井露出面を覆う化粧パネルに形成され、底面部にねじ挿通用孔が設けられるねじ取付け用凹陥部と、
このねじ取付け用凹陥部の上記ねじ挿通用孔に挿通され、上記化粧パネルを空気調和機本体に取着する取付けねじと、
上記ねじ取付け用凹陥部に着脱自在に嵌め込まれ、上記取付けねじを覆うねじカバーとを具備し、
上記ねじカバーは、
ねじ取付け用凹陥部の底面部の一部に当接するリブと、
このリブと近接した位置に設けられ、ねじ取付け用凹陥部の周面一部に掛止する第１の爪部と、
この第１の爪部とは上記リブを介して反対側のねじカバー表面部位に設けられ、ねじカバーをねじ取付け用凹陥部から取外しする際の押圧操作の目印となる操作目印部と
を備えることを特徴とする天井据付け型空気調和機のねじカバー装置。
【請求項２】
上記ねじ取付け用凹陥部に引掛け孔が設けられ、
上記ねじカバーは、上記引掛け孔に離脱不可能に差し込まれる第２の爪部を有することを特徴とする請求項１記載の天井据付け型空気調和機のねじカバー装置。
【発明の詳細な説明】
【技術分野】
【０００１】
本発明は、たとえば浴室の天井に取付けられて、浴室内の暖房と、換気および乾燥等をなす天井据付け型空気調和機において、化粧パネルを取着する取付けねじを、浴室内から遮蔽するためのねじカバー装置の改良に関する。
【背景技術】
【０００２】
被空調室の壁面高所に取付けられる、いわゆる壁掛け型の空気調和機においては、本体の前面に吸込み口と吹出し口を備えた前面パネルが取付けられる。この前面パネルの取付け構造は、本体の上部に前面パネルの上部を掛止し、本体の下部に前面パネルの下端部を嵌め込んだあと、前面パネルを介して本体に取付けねじを螺挿する。
【０００３】
そのままでは取付けねじの頭部が室内に露出し外観を損なうので、予め、前面パネルの取付けねじ取付け部分を凹陥形成し、この凹部にねじを挿通して本体に締結固定した後、凹部にねじキャップである、ねじカバー装置を嵌め込む。なお、各種のメンテナンス時に前面パネルを取外す必要があり、ねじカバー装置は凹部に着脱自在となっている。
【０００４】
たとえば、［特許文献１］には、前面パネルを固定するねじと、前面パネルに形成され底部にねじが取付けられ、内部に突起部を有するねじ取付け穴と、ねじ取付け穴に着脱自在に嵌め込まれてねじを覆う、空気調和機のねじカバー装置が開示されている。
【０００５】
【特許文献１】特公平６−８６９３８号公報
【発明の開示】
【発明が解決しようとする課題】
【０００６】
上記［特許文献１］のねじカバー装置において、ねじカバーをねじ取付け穴から取外しする際は、ねじカバーの上端部もしくは下端部を押圧操作する。ねじカバーは、ねじカバー裏面のＵ字溝底面とねじ取付け穴の突起部との当接部を軸として回動して傾く。したがって、前面パネルからの突出側を摘んで引き出すことで、取外しが可能となる。
【０００７】
ところで、ねじカバーは可能な限り目立たないように、表面積は必要以上に大型化せず小面積に形成されている。そのため、ねじカバーの上端部もしくは下端部と、上記突起部に当接する部位（以下、「中心部」と呼ぶ）との間の距離を大きく取ることができず、極くわずかでしかない。
【０００８】
このようなねじカバーの上端部もしくは下端部を押圧すると、ねじカバーは中心部を支点としてシーソー状に傾く。しかしながら、上述のように押圧する端部と中心部間の距離が極く短いから、特に強い力で端部を押圧しないとねじカバーを回動させることができず、操作性がすこぶる悪い。
【０００９】
ねじカバーの表面積を大型化して、上端部もしくは下端部と中心部との距離を大きくとれば、比較的軽い力で回動させることができる。しかしながら今度は、ねじカバーが目立って前面パネルの外観を損なう。そのため、ねじカバーを小型のままで、軽い操作力で回動させることの要望が大である。
【００１０】
また［特許文献１］において、ねじ取付け穴に対するねじカバーの取付けは、単に、ねじカバー蓋部の樹脂弾性力を利用しただけである。そのため、経年変化の影響によりねじカバーの弾性力が低減し、自然的に緩みが発生する虞れがある。さらに、ねじカバーを取外した際に手指からねじカバーが滑れば、そのまま脱落してしまう。
【００１１】
なお、近時、浴室内の暖房や換気、あるいは乾燥を行う空気調和機が多用されている。この種の空気調和機は浴室の天井に据付けられ、前面パネルに代って化粧パネルが本体下面に取付けられる。この種の空気調和機に上記［特許文献１］のねじカバー装置を採用すると、上述の不具合がさらに拡大されたものとなってしまう。
【００１２】
本発明は上記事情にもとづきなされたものであり、その目的とするところは、ねじカバーの取付けを確実になして信頼性の向上を得るとともに、比較的軽い操作力でねじカバーの取外しを可能として作業性の向上を得る天井据付け型空気調和機のねじカバー装置を提供しようとするものである。
【課題を解決するための手段】
【００１３】
上記目的を満足するため本発明の天井据付け型空気調和機のねじカバー装置は、ねじ取付け用凹陥部が、天井に据付けられる空気調和機本体の天井露出面を覆う化粧パネルに形成されて底面部にねじ挿通用孔が設けられ、取付けねじが、ねじ取付け用凹陥部のねじ挿通用孔に挿通されて化粧パネルを空気調和機本体に取着し、ねじカバーが、ねじ取付け用凹陥部に着脱自在に嵌め込まれて取付けねじを覆うものであって、  
上記ねじカバーは、ねじ取付け用凹陥部の底部面の一部に当接するリブと、このリブと近接した位置に設けられねじ取付け用凹陥部の周面一部に掛止する第１の爪部と、この第１の爪部とはリブを介して反対側でかつリブとは離間したねじカバー表面部位に設けられねじカバーをねじ取付け用凹陥部から取外しする際の押圧操作の目印となる操作目印部とを備える。
【発明の効果】
【００１４】
本発明によれば、ねじカバーの取付けを確実になして信頼性の向上を得られ、比較的軽い操作力でねじカバーの取外しを可能として作業性の向上を得るという効果を奏する。
【発明を実施するための最良の形態】
【００１５】
以下、本発明の実施の形態を、図面にもとづいて説明する。  
図１は、天井据付け型空気調和機Ｓを分解して示す斜視図である。  
この空気調和機Ｓは、浴室の天井面８に取付けられる空気調和機本体１と、化粧パネル２とから構成される。
【００１６】
上記空気調和機本体１は、矩形箱状をなす筐体３内に、図示しない加熱源であるヒータと室内送風機とが相対向した状態で収容される。筐体３下面において、上記ヒータと対向する部位には矩形状のグリルが嵌め込まれた温風吹出し口４が設けられ、上記室内送風機と対向する部位には円形状の吸込み口５が開口される。
【００１７】
筐体３の一側面部で、上記室内送風機と対向する部位に円筒体状の換気用口体６が突設される。この換気用口体６に図示しない換気ダクトが接続されていて、これは浴室の壁面を介して屋外に臨むよう延設される。また、上記温風吹出し口４と換気用口体６の筐体３内部位には、それぞれを開閉自在とする図示しないダンパ機構が設けられる。
【００１８】
この筐体３の下面周囲に沿って、所定の幅寸法を有し、矩形枠状に形成される嵌め込み用突部７が設けられる。筐体３の据付けは、天井面８に筐体３が貫通できるだけの矩形状の取付け用開口を設け、この開口部から天井裏側に筐体３を下から上に押し込み、フランジ状となっている嵌め込み用突部７を天井開口部の外周の天井面にねじ止めすることで固定される。したがって、上記嵌め込み用突部７は筐体３と浴室天井面８の取付け用開口部との間隙を遮蔽する。
【００１９】
上記嵌め込み用突部７の四隅にはねじ孔９が設けられ、かつ嵌め込み用突部７の外周面に沿って上記化粧パネル２が嵌め込まれる。化粧パネル２は、筐体３下面の温風吹出し口４や吸込み口５を浴室内から遮蔽する。化粧パネル２は、たとえば硬質性樹脂材で成形されていて、後述するように取付けねじ１０を上記ねじ孔９に螺挿することで、空気調和機本体１に取付け固定される。
【００２０】
上記化粧パネル２において、筐体３下面の温風吹出し口４と対向する部位には、温風吹出し口４と略同一形状の吹出しグリル１１が嵌め込まれている。筐体３下面の吸込み口５と対向する部位には、吸込み口５よりも大なる面積の吸込みグリル１２が嵌め込まれている。
【００２１】
なお、化粧パネル２は、上記嵌め込み用突部７を覆うように嵌め込まれる周縁部２ａに対して、吹出しグリル１１と吸込みグリル１２が設けられる面部２ｂは下方に突出しており、周縁部２ａと面部２ｂとの間は傾斜部２ｃが形成される。
【００２２】
化粧パネル２の傾斜部２ｃにおける四隅に、ねじ取付け用凹陥部１５が設けられている。このねじ取付け用凹陥部１５内に、後述するように上記取付けねじ１０が挿入され、かつ嵌め込み用突部７の上記ねじ孔９に螺挿される。したがって、化粧パネル２は筐体３に、取付けねじ１０を介して取付け固定される。
【００２３】
上記ねじ取付け用凹陥部１５には、予め、ねじカバーＫが取付けられている。このねじカバーＫは、合成樹脂材の成形品で、従来と同様、表面積が取付けねじ１０の頭部ａよりも若干大きいだけで、可能な限り小さく設定されていて、ねじ取付け用凹陥部１５に嵌め込まれることにより、取付けねじ１０を浴室内から遮蔽する。
【００２４】
つぎに、ねじカバーＫと、ねじカバーＫのねじ取付け用凹陥部１５に対する取付け構造について詳細に説明する。  
図２は化粧パネル２の四隅に設けられるねじ取付け用凹陥部１５とねじカバーＫとを分解して示す斜視図、図３はねじカバーＫの斜視図、図４は化粧パネル２に対するねじカバーＫの取付け構造を示す断面図である。
【００２５】
上記化粧パネル２に設けられるねじ取付け用凹陥部１５は、化粧パネル２の傾斜部２ｃにおいて円形状に開口され、この開口部１５ａと同一直径の周面部１５ｂが設けられるとともに、周面部１５ｂ端に、この軸方向と直交する底面部１５ｃが一体に設けられる。上記底面部１５ｃの中心部には、取付けねじ１０の頭部ａ直径よりもわずかに大の直径の取付け用段部１６が凹陥形成される。
【００２６】
上記取付け用段部１６に、取付けねじ１０のねじ部ｂねじ径よりもわずかに大の直径のねじ挿通用孔１７が設けられる。このねじ挿通用孔１７が筐体３の上記ねじ孔９と対向するよう化粧パネル２を位置調整し、ねじ挿通用孔１７から取付けねじ１０を挿通してねじ孔９に螺挿することで、化粧パネル２は空気調和機本体１に取付けられる。ただし、そのままでは取付けねじ１０の頭部ａが取付け用段部１６に露出する。
【００２７】
一方、ねじ取付け用凹陥部１５には、ねじ挿通用孔１７と取付け用段部１６を介して同一直線上に対向して、第１の引掛け孔１８と第２の引掛け孔１９が設けられる。第１の引掛け孔１８は、上記嵌め込み用突部７に嵌め込まれる周縁部２ａに近い側に設けられ、第２の引掛け孔１９は吹出しグリル１１等が設けられる面部２ｂに近い側に設けられる。
【００２８】
浴室内から見て、第１の引掛け孔１８は第２の引掛け孔１９よりも傾斜上部側にあり、周面部１５ｂにおける軸方向の切欠量がほとんどゼロであり、底面部１５ｃにおける切欠量もわずかでしかない。第２の引掛け孔１９は傾斜下部側にあるので、周面部１５ｂにおける軸方向の切欠量が大であり、底面部１５ｃにおける切欠量も第１の引掛け孔１８よりも大に形成される。
【００２９】
すなわち、上記第２の引掛け孔１９は、ねじ取付け用凹陥部１５の周面部１５ｂから底面部１５ｃに亘って設けられる。第１の引掛け孔１８は、底面部１５ｃにおいては開口するが、周面部１５ｂはほとんど開口しない。そして、第１の引掛け孔１８の周面部１５ｂ端が段状に切欠されていて、この段部を引掛け部２０と呼ぶ。
【００３０】
つぎに、上記ねじカバーＫについて説明する。  
このねじカバーＫは、化粧パネル２より若干軟らかい硬質性樹脂材から成形され、化粧パネル２と同一色が選択される。ねじカバーＫは、外形が円形状をなす蓋部２２と、この蓋部２２に一体に設けられる第１の爪部２３および第２の爪部２４と、一対のリブ２５からなり、上記蓋部２２表面には操作目印部２６が設けられる。
【００３１】
実質的に、上記蓋部２２が表面積を可能な限り小さく形成されていて、この外形は上記ねじ取付け用凹陥部１５の開口部１５ａと同一直径をなしている。蓋部２２の周縁は、ねじ取付け用凹陥部１５の周面部１５ｂの傾斜に合せて、軸方向に沿って斜めに突出形成される。したがって、蓋部２２をねじ取付け用凹陥部開口部１５ａに隙間なく嵌め込み固定状態とすることができる。
【００３２】
蓋部２２周縁の最も浅い傾斜部分に上記第１の爪部２３が設けられ、この第１の爪部２３に近接する左右両側部位に上記一対のリブ２５が突設される。上記第２の爪部２４は、蓋部２２周縁の最も深い傾斜部分に設けられていて、上記第１の爪部２３とは蓋部２２の中心を介して径方向に対称位置にある。上記操作目印部２６は、第２の爪部２４とは極く近接した位置で、かつ第１の爪部２３および一対のリブ２５とは離間した位置に設けられる円形状の突部である。
【００３３】
図４のみに示すように、ねじカバーＫの蓋部２２がねじ取付け用凹陥部１５に嵌め込まれた状態で、リブ２５の先端がねじ取付け用凹陥部１５の底面部１５ｃの一部に当接するよう設計されている。この状態で、蓋部２２の表面が化粧パネル２の傾斜部２ｃ面と一致して傾斜し、同一面状に形成される。そのため浴室内からねじカバーＫを見上げると、ねじカバー蓋部２２と化粧パネル２は全く同一物に見える。
【００３４】
ねじカバーＫの上記第１の爪部２３は、蓋部２２がねじ取付け用凹陥部１５に嵌め込まれた状態で、第１の引掛け孔１８端部に設けられる上記引掛け部２０に掛止される。このように、蓋部２２直径とねじ取付け用凹陥部開口部１５ａ直径とが同一で、隙間なく嵌め込まれているうえに、第１の爪部２３が引掛け部２０に掛止しているので、経年変化に係りなく蓋部２２の脱落は完全に問題外である。
【００３５】
ねじカバーＫの上記第２の爪部２４は、帯状部２４ａと引掛け爪２４ｂとからなる。上記帯状部２４ａは、第２の引掛け孔１９の幅寸法よりもわずかに狭い幅寸法で、蓋部２２の周縁端から一体に、この軸方向とは直交する方向に所定長さで設けられる。上記引掛け爪２４ｂは、帯状部２４ａの先端で、帯状部２４ａとは直交する方向に折曲される。
【００３６】
そして、上記引掛け爪２４ｂは錨状（矢印状）に成形される。通常の状態で帯状部２４ａの幅寸法以上に拡がっているので、これを圧縮付勢し、弾性変形させた状態で第２の引掛け孔１９に挿通する。引掛け爪２４ｂが第２の引掛け孔１９を抜け出れば、圧縮付勢力が除去されて元の形状に復帰する。
【００３７】
したがって、引掛け爪２４ｂを第２の引掛け孔１９に挿通させれば、第２の引掛け孔１９幅寸法と長さ寸法以上の形態となる。このあと、帯状部２４ａを引張って引掛け爪２４ｂを第２の引掛け孔１９から抜き出そうとしても、この引掛け孔１９に引掛って抜き出すことはできない。
【００３８】
しかも、引掛け爪２４ｂは第２の引掛け孔１９の向こう側に位置しているので、挿通前のように引掛け爪２４ｂを圧縮付勢し弾性変形させることができない。すなわち、引掛け爪２４ｂは第２の引掛け孔１９から離脱することは不可能であり、引掛け爪２４ｂを備えたねじカバーＫはねじ取付け用凹陥部１５から取外すことはできない。
【００３９】
蓋部２２をねじ取付け用凹陥部１５に嵌め込んだ状態で、第２の爪部２４の帯状部２４ａ基端が第２の引掛け孔１９端部に挿通し、引掛け爪２４ｂ自体は第２の引掛け孔１９から離間した化粧パネル２の傾斜部２ｃ裏面一部に当接している。帯状部２４ａは第２の引掛け孔１９端部に掛止していて、この部分においても蓋部２２のねじ取付け用凹陥部１５からの脱落はない。
【００４０】
上述したように、蓋部２２自体が化粧パネル２と同一素材で、同一色であるため、浴室から見上げても蓋部２２の表面に一体に突出形成される操作目印部２６の存在を確認することは、ほとんど不可能である。ただし、化粧パネル２に接近して蓋部２２を見れば、操作目印部２６を容易に発見できる。
【００４１】
さらに、蓋部２２周縁の最も浅い傾斜部分に第１の爪部２３が設けられ、この爪部２３に近接した左右両側に一対のリブ２５が突設される。第２の爪部２４は、蓋部２２周縁の最も深い傾斜部分に設けられ、第１の爪部２３とは蓋部２２の中心点を介して径方向に対称位置にある。操作目印部２６は第２の爪部２４と近接した位置にあり、第１の爪部２３および一対のリブ２５とは離間している。
【００４２】
具体的に説明すると、リブ２５中心から上記引掛け部２０に掛止する第１の爪部２３までの距離をＬａとし、リブ２５中心から操作目印部２６までの距離をＬｂとしたとき、距離Ｌｂは距離Ｌａよりも大（Ｌｂ＞Ｌａ）となるように設定されている。
【００４３】
なお、ここでは上記リブ２５は先端が平坦面をなし、ねじ取付け用凹陥部１５の底面部１５ｃに所定の面積をもって当接しているが、リブ２５の先端をたとえば半円状をなし、上記底面部１５ｃに線接触するよう構成してもよい。
【００４４】
このようにして、化粧パネル２にねじ取付け用凹陥部１５が形成され、取付けねじ１０を螺挿して化粧パネル２を空気調和機本体１に取付けている。そのうえで、ねじ取付け用凹陥部１５にねじカバーＫが嵌め込まれて、取付けねじ１０を遮蔽している。化粧パネル２に対してねじカバーＫは同一素材で、同一色であるから、全く同一物に見えて、接近しない限りねじカバーＫの存在を確認することはほとんどできない。
【００４５】
ねじカバーＫの蓋部２２直径がねじ取付け用凹陥部１５の開口部１５ａ直径と同一であり、確実に嵌め込まれているうえに、ねじカバーＫの第１の爪部２３がねじ取付け用凹陥部１５に設けられる引掛け部２０に掛止し、第２の爪部２４が第２の引掛け孔１９に掛止しているので、経年変化に係らず、ねじカバーＫのねじ取付け用凹陥部１５からの脱落は全くない。
【００４６】
なお、ねじカバー蓋部２２の表面に塗装を行う場合には、ねじカバーＫが硬質性樹脂材で成形されているから、各種の樹脂材料の塗装を使用することができる。  
たとえば、メンテナンス時など化粧パネル２を空気調和機本体１から取外す際は、まずねじカバーＫをねじ取付け用凹陥部１５から取外して、取付けねじ１０を露出させなければならない。
【００４７】
このとき作業者は、ねじカバーＫに接近して手指を蓋部２２に形成される操作目印部２６に当てる。ねじカバーＫに接近して目視すれば、上記操作目印部２６を容易に発見できる。  
図５に示すように、作業者が操作目印部２６に手指を当てて押し上げると、ねじカバーＫは全体に傾く。なお説明すると、ねじカバーＫがねじ取付け用凹陥部１５に嵌め込まれた状態で、蓋部２２周縁に突設されるリブ２５の端面がねじ取付け用凹陥部１５の底面部１５ｃに当接しているから、操作目印部２６を押し上げれば、リブ２５を支点としてねじカバーＫ全体が傾く。
【００４８】
操作目印部２６の近傍位置に設けられる第２の爪部２４の帯状部２４ａは、それまで第２の引掛け孔１９の周面部１５ｂ側開口端に掛止していたが、ねじカバーＫの傾きにともなって開口端から離れ、底面部１５ｃ側の開口に移動し、この端部に掛止される。一方、第１の爪部２３は引掛け部２０から外れて、化粧パネル２の傾斜部２ｃから突出する。
【００４９】
ねじカバーＫの構成上、作業者が操作目印部２６に手指を当て押し上げることで、ねじカバーＫがリブ２５を支点として傾くので、第１の爪部２３に対しては、いわゆる“てこの原理”が作用する。すなわち、リブ２５が支点であり、手指で押し上げる操作目印部２６が力点となり、第１の爪部２３が作用点となる。
【００５０】
図４で説明したように、支点であるリブ２５の中心位置から引掛け部２０に掛止する作用点である第１の爪部２３までの距離Ｌａよりも、支点であるリブ２５の中心位置から力点である操作目印部２６の中心位置までの距離Ｌｂが大に設定されている。したがって、比較的軽い操作力でねじカバーＫは傾き、ねじ取付け用凹陥部１５に対する取付け姿勢を解除することができる。
【００５１】
そのあと、図５に二点鎖線矢印に示すように、作業者は化粧パネル傾斜部２ｃから突出しているねじカバーＫの第１の爪部２３側端部を摘んで引き降ろす。ねじカバーＫ全体がねじ取付け用凹陥部１５から順次引き出されていくとともに、取付けねじ１０の頭部ａが露出する。
【００５２】
ねじカバーＫの引き出しにともない、第２の爪部２４を構成する帯状部２４ａが第２の引掛け孔１９から引き出されていき、ついには帯状部２４ａ先端の引掛け爪２４ｂが第２の引掛け孔１９に引っ掛って、それ以上のねじカバーＫの引き出しが規制される。結局、図６に示すように、ねじカバーＫは最大限引き出され、化粧パネル２から吊持される。
【００５３】
この状態で取付けねじ１０の頭部ａは完全露出して存在を確認でき、工具をもって取外す。全ての取付けねじ１０を外せば化粧パネル２の取外しが可能となり、必要なメンテナンス作業を行えばよい。なお、ねじカバーＫは化粧パネル２から吊持されたままであり、ここからの脱落はない。
【００５４】
作業終了後は、化粧パネル２を持ち上げて筐体ねじ孔９に対する取付け用凹陥部ねじ挿通用孔１７の位置合せをなし、取付けねじ１０をねじ挿通用孔１７に挿通してねじ孔９に螺挿する。四隅の取付けねじ１０を螺挿して化粧パネル２を筐体３に取付けした後、図６に実線矢印で示すように、ねじカバーＫの第２の爪部２４をねじ取付け用凹陥部１５の第２の引掛け孔１９に順次押し込む。
【００５５】
二点鎖線矢印に示すように、ねじカバー蓋部２２がねじ取付け用凹陥部１５方向へ移動し、第１の爪部２３が引掛け部２０に接近する。その後、図５に示すように、第２の爪部２４全体が押し込まれ、蓋部２２周縁がねじ取付け用凹陥部周面部１５ｂに当接したら、第１の爪部２３を反二点鎖線矢印方向に押し上げる。
【００５６】
ねじカバー蓋部２２はねじ取付け用凹陥部１５の開口部１５ａに嵌め込まれ、完全閉塞する。蓋部２２表面と化粧パネル傾斜部２ｃ表面とは完全に同一面となるとともに、第１の爪部２３が引掛け部２０に掛止し、第２の爪部２４基端が第２の引掛け孔１９に掛止する。結局、図４に示すように、ねじカバーＫは取付けねじ１０を浴室内から遮蔽する。
【００５７】
再び、化粧パネル２を取外しする必要があれば、ねじカバーＫの操作目印部２６を押し上げればよい。上述したＬｂ＞Ｌａの設定から、常に、極く軽い押上げ力でねじカバーＫをねじ取付け用凹陥部１５から取外しできる。ねじカバーＫはそのまま化粧パネル２に吊持され、化粧パネル２からの脱落はない。さらに、ねじカバーＫの化粧パネル２への取付けも極く容易に行える
すなわち、上記ねじカバーＫを備えることにより、経年変化の影響を受けずにねじカバーＫを化粧パネル２に取付けることができ、信頼性の向上を得られる。ねじカバーＫの表面積を可能な限り小さくしたことに係りなく、極く軽い操作力で取外しでき、作業性の向上化を得られる。ねじカバーＫの取付けも容易であり、作業性を妨げない。
【００５８】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００５９】
【図１】本発明における実施の形態に係る、天井据付け形空気調和機の分解した斜視図。
【図２】同実施の形態に係る、化粧パネルとねじカバーの斜視図。
【図３】同実施の形態に係る、ねじカバーの斜視図。
【図４】同実施の形態に係る、空気調和機本体に対して化粧パネルとねじカバーを組立てた状態の縦断面図。
【図５】同実施の形態に係る、ねじカバーの取外し作業を説明する図。
【図６】同実施の形態に係る、取外したねじカバーの状態を説明する図。
【符号の説明】
【００６０】
１…空気調和機本体、２…化粧パネル、１７…ねじ挿通用孔、１５…ねじ取付け用凹陥部、１０…取付けねじ、１５ｃ…（ねじ取付け用凹陥部の）底部面、２５…リブ、１５ｂ…（ねじ取付け用凹陥部の）周面部、２３…第１の爪部、２６…操作目印部、１９…（第２の）引掛け孔、２４…第２の爪部。
【図１】
2009019811.tif 000003
【図２】
2009019811.tif 000004
【図３】
2009019811.tif 000005
【図４】
2009019811.tif 000006
【図５】
2009019811.tif 000007
【図６】
2009019811.tif 000008